【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】  音声を記録するモードと音声を記録しないモードで画像を記録することのできる画像記録装置と、前記画像記録装置を遠隔操作可能なリモートコントロール装置とを有する遠隔操作システムであって、
前記画像記録装置は、
前記画像記録装置が音声を記録するモードに設定されているか、音声を記録しないモードに設定されているかに関する情報を前記リモートコントロール装置に送信する送信手段を有し、
前記リモートコントロール装置は、
音を発することで使用者に報知する発音手段と、
前記画像記録装置が音声を記録するモードに設定されているか、音声を記録しないモードに設定されているかに関する情報を受信する受信手段と、
前記画像記録装置が音声を記録するモードに設定されているという情報を受信した場合には、前記発音手段の動作を禁止する禁止手段とを有することを特徴とする遠隔操作システム。
【請求項２】  記録する音声レベルを検出することのできる画像記録装置と、前記画像記録装置を遠隔操作可能なリモートコントロール装置とを有する遠隔操作システムであって、
前記画像記録装置は、
前記画像記録装置が記録する音声レベルが所定値より大きいかどうかに関する情報を前記リモートコントロール装置に送信する送信手段を有し、
前記リモートコントロール装置は、
音を発することで使用者に報知する発音手段と、
前記画像記録装置が記録する音声レベルが所定値より大きいかどうかに関する情報を受信する受信手段と、
前記画像記録装置が記録する音声レベルが所定値より小さいという情報を受信した場合には、前記発音手段の動作を禁止する禁止手段とを有することを特徴とする遠隔操作システム。
【請求項３】  前記リモートコントロール装置は、振動することで使用者に報知する振動手段と、前記禁止手段によって前記発音手段の動作が禁止される場合には、前記振動手段を動作させる制御手段とを有することを特徴とする請求項１または２に記載の遠隔操作システム。
【請求項４】  前記送信手段は、前記画像記録装置の動作状態を送信することが可能であって、前記受信手段は前記画像記録装置の動作状態を受信することができ、前記発音手段は前記画像記録装置の動作状態を使用者に報知することを特徴とする請求項１ないし３のいずれかに記載の遠隔操作システム。
【請求項５】  音声を記録するモードで動作しているか、音声を記録しないモードで動作しているかを外部に送信することのできる画像記録装置を遠隔操作可能なリモートコントロール装置であって、
音を発することで使用者に報知する発音手段と、
前記画像記録装置が音声を記録するモードに設定されているか、音声を記録しないモードに設定されているかに関する情報を前記画像記録装置から受信する受信手段と、
前記画像記録装置が音声を記録するモードに設定されているという情報を受信した場合には、前記発音手段の動作を禁止する禁止手段とを有することを特徴とするリモートコントロール装置。
【請求項６】  記録する音声レベルを検出して、外部に送信することのできる画像記録装置を遠隔操作可能なリモートコントロール装置であって、
音を発することで使用者に報知する発音手段と、
前記画像記録装置が記録する音声レベルが所定値より大きいかどうかに関する情報を受信する受信手段と、
前記画像記録装置が記録する音声レベルが所定値より小さいという情報を受信した場合には、前記発音手段の動作を禁止する禁止手段とを有することを特徴とする遠隔操作システム。
【請求項７】  振動することで使用者に報知する振動手段と、前記禁止手段によって前記発音手段の動作が禁止される場合には、前記振動手段を動作させる制御手段とを有することを特徴とする請求項５または６に記載のリモートコントロール装置。
【手続補正２】
【補正対象書類名】明細書
【補正対象項目名】０００８
【補正方法】変更
【補正の内容】
【０００８】
【課題を解決するための手段】
上記の問題を解決するため本発明は、音声を記録するモードと音声を記録しないモードで画像を記録することのできる画像記録装置と、前記画像記録装置を遠隔操作可能なリモートコントロール装置とを有する遠隔操作システムであって、前記画像記録装置は、前記画像記録装置が音声を記録するモードに設定されているか、音声を記録しないモードに設定されているかに関する情報を前記リモートコントロール装置に送信する送信手段を有し、前記リモートコントロール装置は、音を発することで使用者に報知する発音手段と、前記画像記録装置が音声を記録するモードに設定されているか、音声を記録しないモードに設定されているかに関する情報を受信する受信手段と、前記画像記録装置が音声を記録するモードに設定されているという情報を受信した場合には、前記発音手段の動作を禁止する禁止手段とを有することを特徴としている。
【手続補正３】
【補正対象書類名】明細書
【補正対象項目名】００１１
【補正方法】変更
【補正の内容】
【００１１】
１はリモコンを示し、リモコン内部は以下のユニットで構成されている。２は録画や各種設定を操作するための操作ボタン、３は制御用の小型演算処理装置１（ＭＰＵ１）、４は記録装置本体へ制御信号を赤外線で送信するための送信ユニット１、５は記録装置から動作状態などの情報を受信するための受信ユニット１、１０はＭＰＵ１＿３のプログラムやリモコンコードを記憶した読み出し専用記憶装置１（ＲＯＭ１）、６はスピーカドライバ、スピーカドライバ６への電源供給は３０のスイッチにて制御可能である。７はリモコンの音声通知手段であるスピーカ、８はバイブレータ用のモータドライバであり、モータドライバ８への電源供給は３１のスイッチで制御可能である。９はリモコンの振動通知手段であるバイブレータである。
【手続補正４】
【補正対象書類名】明細書
【補正対象項目名】００１２
【補正方法】変更
【補正の内容】
【００１２】
１１は撮影装置本体を示し、撮影装置１１は以下のユニットで構成されている。１２は映像を撮影し電気信号へ変換するカメラユニット、１５は音声を電気信号に変換するマイクユニット、１６はマイクユニットのＯＮ／ＯＦＦを切り替えるマイクスイッチ、１３はカメラユニット１２とマイクユニット１５からの信号を所定の記録フォーマットへ変換する画像処理回路、１７はカードコントローラ、１８は画像保存用の記録媒体であるメモリカード、１４は撮影装置１１を制御する小型演算処理装置２（ＭＰＵ２）、２１はリモコンから送信された赤外線信号を受信するための受信ユニット２、２２は撮影装置１１の動作状態をリモコンへ通知するための信号を赤外線にて送信するための送信ユニット２、２３はＭＰＵ２＿１４のプログラムやリモコンコードを記憶した読み出し専用記憶装置２（ＲＯＭ２）である。
【手続補正５】
【補正対象書類名】明細書
【補正対象項目名】００１３
【補正方法】変更
【補正の内容】
【００１３】
図２はリモコンに搭載されたＭＰＵ１＿３の処理を示したフローチャートである。リモコン内のボタンが押される（Ｓ１０１）と、ＭＰＵ１＿３はＲＯＭ１＿１０内の変換テーブルで制御コードに変換し（Ｓ１０２）、制御コードを送信ユニット１＿４から送信する（Ｓ１０３）。制御コード送信後、撮影装置１１から動作状態などのデータを受信する（Ｓ１０４）。受信したデータに応じて通知動作を行う（Ｓ１０６）。撮影装置１１からデータを一定期間受信しない場合は、タイムアウト（Ｓ１０５）としてエラー処理（Ｓ１０７）を行う。また、リモコン内のボタンが押されていない場合、撮影装置１１からの受信待ち状態（Ｓ１０８）である。撮影装置１１の減電警告など、リモコン１からの指令に対する応答以外のデータをリモコン１が受信した場合も、通知動作（Ｓ１０９）を行う。
【手続補正６】
【補正対象書類名】明細書
【補正対象項目名】００１４
【補正方法】変更
【補正の内容】
【００１４】
図３は撮影装置１１に搭載されたＭＰＵ２の処理を示したフローチャートである。リモコン１からの制御信号を受信する（Ｓ２０１）とリモコンコードからＲＯＭ２＿２３内のテーブルからコマンドを検索し受信コードを解析（Ｓ２０２）する。次に、音声記録モードであるか判断する（Ｓ２０３）。音声記録モードの場合はＳ２０４へ分岐し、マイクスイッチをＯＮに、音声記録モード以外は、マイクスイッチをＯＦＦ（Ｓ２０５）にする。次にコマンドに応じた撮影動作を実行（Ｓ２０６）して実行状態の応答データをリモコン１へ送信（Ｓ２０７）する。リモコン１からの制御信号の受信が無い場合は、撮影装置１１内部の状態を監視（Ｓ２０８）し、状態に変化があった場合は、リモコン１へ動作状態を送信（Ｓ２１０）する。
【手続補正７】
【補正対象書類名】明細書
【補正対象項目名】００２０
【補正方法】変更
【補正の内容】
【００２０】
図６は記録装置本体に搭載されたＭＰＵ２の処理を示したフローチャートである。リモコンからの制御信号を受信する（Ｓ４０１）とリモコンコードからＲＯＭ２内のテーブルからコマンドを検索し受信コードを解析（Ｓ４０２）する。次に、音声記録モードであるか判断する（Ｓ４０３）。音声記録モードの場合はＳ４０４へ分岐し、マイクスイッチをＯＮにし、マイクで記録されている音量を測定する（Ｓ４１１）。音声記録モード以外は、マイクスイッチをＯＦＦ（Ｓ４０５）にする。次にコマンドに応じた撮影動作を実行（Ｓ４０６）して実行状態の応答データをリモコンへ送信（Ｓ４０７）する。
【手続補正８】
【補正対象書類名】明細書
【補正対象項目名】００２１
【補正方法】変更
【補正の内容】
【００２１】
リモコンからの制御信号の受信が無い場合は、撮影装置内部の状態を監視（Ｓ４０８）し、状態に変化があった場合は、Ｓ４１２へ分岐し、音声記録モードの判定を行う（Ｓ４１２）。音声記録モードの場合は、マイクのスイッチをＯＮにして（Ｓ４１３）、マイクで記録されている音量を測定する（Ｓ４１５）。音声記録モードではない場合は、マイクのスイッチをＯＦＦにして（Ｓ４１４）、次にリモコンへ動作状態を送信（Ｓ４１０）する。
【手続補正９】
【補正対象書類名】明細書
【補正対象項目名】００２２
【補正方法】変更
【補正の内容】
【００２２】
図７はリモコンに設けたの通知動作の詳細である。受信したデータは、コードを解析する（Ｓ５０１）。解析結果から、記録中の音量を判定（Ｓ５０２）して、音声記録中の音量が所定の量より小さい場合はＳ５０３へ分岐し、スピーカドライバの電源をＯＦＦ（Ｓ５０３）、モータドライバの電源をＯＮ（Ｓ５０４）、バイブレータで動作状態を通知する（Ｓ５０５）。記録音量を判定して、記録中の音声が所定の量より大きい場合は、スピーカドライバの電源をＯＮ（Ｓ５０６）にする。そして、記録音量から、テーブル参照などの手法で通知するスピーカの音量を設定（Ｓ５１０）し、音声にて動作を通知（Ｓ５０７）を行う。また、モータドライバの電源をＯＦＦ（Ｓ５０８）にして、バイブレータでの通知を禁止する。
【手続補正１０】
【補正対象書類名】明細書
【補正対象項目名】００２３
【補正方法】変更
【補正の内容】
【００２３】
【発明の効果】
本発明は、撮影の状態に応じてリモートコントロール装置に設けた発音手段を自動的に切り替えることで、画像記録装置にリモートコントロール装置から発せられる不要な音声が記録されてしまうことがない。
【手続補正１１】
【補正対象書類名】図面
【補正対象項目名】図４
【補正方法】変更
【補正の内容】
【図４】
2004080559.tif 000001
【手続補正１２】
【補正対象書類名】図面
【補正対象項目名】図６
【補正方法】変更
【補正の内容】
【図６】
2004080559.tif 000002
【手続補正１３】
【補正対象書類名】図面
【補正対象項目名】図７
【補正方法】変更
【補正の内容】
【図７】
2004080559.tif 000003